(57)【要約】【課題】安否情報の照会とともに安否情報の登録ができ、かつ安否情報の登録を簡略化し、登録に要する時間を抑制することができるシステムサーバ及びシステムサーバの制御方法を提供する。【解決手段】各ＩＣカードＩＤに対応するユーザの安否情報を格納するプレゼンスＤＢ３１と、関連ユーザのＩＣカードＩＤを格納するカード情報ＤＢ３２と、カードリーダ２を介してＩＣカード１に記憶されたＩＣカードＩＤ及びカードリーダＩＤを受信した場合、ＩＣカードＩＤ及びカードリーダＩＤに基づきプレゼンスＤＢ３１にＩＣカードＩＤに対応するユーザの安否情報を格納し、かつ、関連ユーザのＩＣカードＩＤをカード情報ＤＢ３２から取得し、ＩＣカードＩＤに基づきプレゼンスＤＢ３１に格納された関連ユーザの安否情報をディスプレイ４に送信する制御部３４と、を備えることを特徴とする。【選択図】図１
2014044531.tif 000002
【特許請求の範囲】
【請求項１】
各非接触型デバイスＩＤに対応するユーザの安否情報を格納するプレゼンスデータベースと、
各非接触型デバイスＩＤに対応する関連ユーザの非接触型デバイスＩＤを格納する非接触型デバイス情報データベースと、
非接触型デバイス読取装置を介して非接触型デバイスに記憶された非接触型デバイスＩＤ及び非接触型デバイス読取装置ＩＤを受信した場合、前記非接触型デバイスＩＤ及び前記非接触型デバイス読取装置ＩＤに基づき前記プレゼンスデータベースに前記非接触型デバイスＩＤに対応するユーザの安否情報を格納し、かつ、前記非接触型デバイスＩＤに係る前記関連ユーザの非接触型デバイスＩＤを前記非接触型デバイス情報データベースから取得し、該非接触型デバイスＩＤに基づき前記プレゼンスデータベースに格納された該関連ユーザの安否情報を出力装置に送信する制御部と、
を備えることを特徴とするシステムサーバ。
【請求項２】
前記制御部は、非接触型デバイス読取装置を介して非接触型デバイスに記憶された非接触型デバイスＩＤ及び非接触型デバイス読取装置ＩＤを受信した場合で前記プレゼンスデータベースに前記非接触型デバイスＩＤに対応するユーザの安否情報を格納されている場合、前記非接触型デバイスＩＤ及び前記非接触型デバイス読取装置ＩＤに基づき前記プレゼンスデータベースに格納された前記非接触型デバイスＩＤに対応するユーザの安否情報を更新することを特徴とする、請求項１に記載のシステムサーバ。
【請求項３】
前記非接触型デバイス情報データベースは、前記非接触型デバイスＩＤに係る電子メールアドレスを格納し、
前記制御部はさらに、前記非接触型デバイス読取装置を介して前記非接触型デバイスに記憶された前記非接触型デバイスＩＤ及び前記非接触型デバイス読取装置ＩＤを受信した場合、前記非接触型デバイス情報データベースに格納された前記非接触型デバイスＩＤに係る前記関連ユーザの非接触型デバイスＩＤに対応する電子メールアドレス宛に、前記非接触型デバイスに記憶された前記非接触型デバイスＩＤに対応するユーザの安否情報を送信することを特徴とする、請求項１又は２に記載のシステムサーバ。
【請求項４】
前記システムサーバはさらに、
前記非接触型デバイス読取装置ＩＤに対応する設置場所情報を格納する非接触型デバイス読取装置情報データベースを備え、
前記制御部は、前記非接触型デバイス読取装置情報データベースに格納された前記設置場所情報に基づき、前記非接触型デバイス読取装置ＩＤを前記設置場所情報に変換した安否情報を前記出力装置に送信することを特徴とする、請求項１乃至３のいずれか一項に記載のシステムサーバ。
【請求項５】
各非接触型デバイスＩＤに対応するユーザの安否情報をプレゼンスデータベースに格納するステップと、
各非接触型デバイスＩＤに対応する関連ユーザの非接触型デバイスＩＤを非接触型デバイス情報データベースに格納するステップと、
非接触型デバイス読取装置を介して非接触型デバイスに記憶された非接触型デバイスＩＤ及び非接触型デバイス読取装置ＩＤを受信した場合、前記非接触型デバイスＩＤ及び前記非接触型デバイス読取装置ＩＤに基づき前記プレゼンスデータベースに前記非接触型デバイスＩＤに対応するユーザの安否情報を格納し、かつ、前記非接触型デバイスＩＤに係る前記関連ユーザの非接触型デバイスＩＤを前記非接触型デバイス情報データベースから取得するステップと、
該非接触型デバイスＩＤに基づき前記プレゼンスデータベースに格納された該関連ユーザの安否情報を出力装置に送信するステップと、
を含むことを特徴とするシステムサーバの制御方法。
【請求項６】
前記システムサーバの制御方法は、
非接触型デバイス読取装置を介して非接触型デバイスに記憶された非接触型デバイスＩＤ及び非接触型デバイス読取装置ＩＤを受信した場合で前記プレゼンスデータベースに前記非接触型デバイスＩＤに対応するユーザの安否情報を格納されている場合、前記非接触型デバイスＩＤ及び前記非接触型デバイス読取装置ＩＤに基づき前記プレゼンスデータベースに格納された前記非接触型デバイスＩＤに対応するユーザの安否情報を更新するステップと、
を含むことを特徴とする、請求項５に記載のシステムサーバの制御方法。
【請求項７】
前記システムサーバの制御方法はさらに、前記非接触型デバイス情報データベースに、前記非接触型デバイスＩＤに係る電子メールアドレスを格納するステップと、
前記非接触型デバイス読取装置を介して前記非接触型デバイスに記憶された前記非接触型デバイスＩＤ及び前記非接触型デバイス読取装置ＩＤを受信した場合、前記非接触型デバイス情報データベースに格納された前記非接触型デバイスＩＤに係る前記関連ユーザの非接触型デバイスＩＤに対応する電子メールアドレス宛に、前記非接触型デバイスに記憶された前記非接触型デバイスＩＤに対応するユーザの安否情報を送信するステップと、
を含むことを特徴とする、請求項５又は６に記載のシステムサーバの制御方法。
【請求項８】
前記システムサーバの制御方法はさらに、前記非接触型デバイス読取装置ＩＤに対応する設置場所情報を非接触型デバイス読取装置情報データベースに格納するステップを含み、
前記安否情報を送信するステップは、前記非接触型デバイス読取装置情報データベースに格納された前記設置場所情報に基づき、前記非接触型デバイス読取装置ＩＤを前記設置場所情報に変換した安否情報を前記出力装置に送信することを特徴とする、請求項５乃至７のいずれか一項に記載のシステムサーバの制御方法。
【発明の詳細な説明】
【技術分野】
【０００１】
本発明は、安否確認のためのシステムサーバ及びシステムサーバの制御方法に関する。
【背景技術】
【０００２】
従来から、災害時の安否確認のため災害伝言ダイヤル等、ＰＣや電話を用いて安否情報を登録し、照会できるようにするものがある。安否情報の登録の際にユーザは、自己の氏名、連絡先等を、ＰＣ等を用いてサーバに入力する。また安否情報の登録にＩＣカードを用いる技術もある（例えば非特許文献１）。しかしながらＩＣカードを用いる場合でも、自己の氏名、連絡先等をＰＣ等の所定の端末から入力する必要がある。このようにして登録された者の安否情報は、名前や連絡先等をキーとして、参照端末から照会することができる。
【先行技術文献】
【非特許文献】
【０００３】
【非特許文献１】大和田泰伯、外５名、“NerveNetによる防災アプリケーションの試作及び実証実験”、vol.111、no.385、AN2011-60、３１頁〜３６頁、２０１２年１月
【発明の概要】
【発明が解決しようとする課題】
【０００４】
しかしながら、従来の安否情報の登録では、ユーザが自己の氏名、連絡先等をＰＣ等により入力する必要があり煩雑であった。また、安否情報の登録と、安否情報の照会とを比較した場合、後者のほうがより頻度が高いのにもかかわらず、入力の手間が煩雑であるため登録情報は少ないというアンバランスが生じていた。また、混み合った避難所等で安否情報の登録をユーザが行う場合、登録及び照会の手順は少ないほうが好ましいものの、従来の技術では、当該手順は少なくなく、すなわち長いインタラクション（登録に要する時間）が必要であった。
【０００５】
従って、上記のような問題点に鑑みてなされた本発明の目的は、安否情報の照会とともに安否情報の登録ができ、かつ安否情報の登録を簡略化し、登録に要する時間を抑制することができるシステムサーバ及びシステムサーバの制御方法を提供することにある。
【課題を解決するための手段】
【０００６】
上記課題を解決するために本発明に係るシステムサーバは、
各非接触型デバイスＩＤに対応するユーザの安否情報を格納するプレゼンスデータベースと、
各非接触型デバイスＩＤに対応する関連ユーザの非接触型デバイスＩＤを格納する非接触型デバイス情報データベースと、
非接触型デバイス読取装置を介して非接触型デバイスに記憶された非接触型デバイスＩＤ及び非接触型デバイス読取装置ＩＤを受信した場合、前記非接触型デバイスＩＤ及び前記非接触型デバイス読取装置ＩＤに基づき前記プレゼンスデータベースに前記非接触型デバイスＩＤに対応するユーザの安否情報を格納し、かつ、前記非接触型デバイスＩＤに係る前記関連ユーザの非接触型デバイスＩＤを前記非接触型デバイス情報データベースから取得し、該非接触型デバイスＩＤに基づき前記プレゼンスデータベースに格納された該関連ユーザの安否情報を出力装置に送信する制御部と、
を備えることを特徴とする。
【０００７】
また、本発明に係るシステムサーバの制御方法は、
各非接触型デバイスＩＤに対応するユーザの安否情報をプレゼンスデータベースに格納するステップと、
各非接触型デバイスＩＤに対応する関連ユーザの非接触型デバイスＩＤを非接触型デバイス情報データベースに格納するステップと、
非接触型デバイス読取装置を介して非接触型デバイスに記憶された非接触型デバイスＩＤ及び非接触型デバイス読取装置ＩＤを受信した場合、前記非接触型デバイスＩＤ及び前記非接触型デバイス読取装置ＩＤに基づき前記プレゼンスデータベースに前記非接触型デバイスＩＤに対応するユーザの安否情報を格納し、かつ、前記非接触型デバイスＩＤに係る前記関連ユーザの非接触型デバイスＩＤを前記非接触型デバイス情報データベースから取得するステップと、
該非接触型デバイスＩＤに基づき前記プレゼンスデータベースに格納された該関連ユーザの安否情報を出力装置に送信するステップと、
を含むことを特徴とする。
【発明の効果】
【０００８】
本発明におけるシステムサーバ及びシステムサーバの制御方法によれば、安否情報の照会とともに安否情報の登録ができ、かつ安否情報の登録を簡略化し、登録に要する時間を抑制することができる。
【図面の簡単な説明】
【０００９】
【図１】実施の形態１に係るシステムサーバを含むシステムのブロック図である。
【図２】プレゼンスデータベースに格納される情報を示す図である。
【図３】実施の形態１に係る非接触型デバイス情報データベース（カード情報ＤＢ）に格納される情報を示す図である。
【図４】非接触型デバイスリーダ情報データベース（カードリーダ情報ＤＢ）に格納される情報を示す図である。
【図５】ディスプレイにより表示される情報を示す図である。
【図６】実施の形態１のシステムサーバの動作を示すフローチャートである。
【図７】実施の形態２に係るシステムサーバを含むシステムのブロック図である。
【図８】実施の形態２に係る非接触型デバイス情報データベース（カード情報ＤＢ）に格納される情報を示す図である。
【図９】実施の形態２のシステムサーバの動作を示すフローチャートである。
【発明を実施するための形態】
【００１０】
以下、本発明の実施形態について説明する。
【００１１】
（実施の形態１）
図１は本発明の実施の形態１に係るシステムサーバ３を含むシステムのブロック図である。図１に示すように当該システムは、非接触型デバイス１と、非接触型デバイス読取装置２と、システムサーバ３と、ディスプレイ４とを備える。
【００１２】
非接触型デバイス１は、後述する非接触型デバイス読取装置２と非接触通信を行うデバイスであり、好適にはＩＣカードである。以下、非接触型デバイス１はＩＣカード１であるものとして説明する。ＩＣカード１は、カードＩＤ（非接触型デバイスＩＤ）を記憶している。ここでカードＩＤとは、本システムにおいて非接触型デバイス、すなわちＩＣカードを一意に特定するための識別子である。ＩＣカード１は、ユーザにより非接触型デバイス読取装置２に近接されることにより、非接触型デバイス読取装置２と非接触通信を行い、非接触型デバイス読取装置２にカードＩＤを送信する。なお非接触型デバイス１はＩＣカードに限らず、ＩＣカードの機能を搭載した携帯端末であってもよい。
【００１３】
非接触型デバイス読取装置２は、非接触通信によりＩＣカード１と通信する装置であり、
好適には、カードリーダである。以下、非接触型デバイス読取装置２はカードリーダ２であるものとして説明する。カードリーダ２は、ＩＣカード１に記憶されたカードＩＤを受信する。またカードリーダ２は、受信したＩＣカードＩＤ及びカードリーダＩＤ（非接触型デバイス読取装置ＩＤ）を、システムサーバ３に送信する。ここでカードリーダＩＤとは、本システムにおいてカードリーダを一意に特定するための識別子である。カードリーダ２は、システムサーバ３と通信をする際に、ＩＣカードＩＤを用いてカードの認証を行う。
【００１４】
システムサーバ３は、プレゼンスデータベース（ＤＢ）３１と、非接触型デバイス情報データベース（カード情報ＤＢ）３２と、非接触型デバイス読取装置情報データベース（カードリーダ情報ＤＢ）３３と、制御部３４とを備える。
【００１５】
プレゼンスＤＢ３１は、ＩＣカードＩＤに係るユーザの安否情報を格納する。プレゼンスＤＢ３１に格納される安否情報は、登録時刻と、カードリーダＩＤとを含む。図２は、プレゼンスＤＢ３１に格納される情報を示す図である。図２に示すように、プレゼンスＤＢ３１には、例えばＩＣカードＩＤ“０００１”、登録時刻“２０１２．５．３０ １９：３９”、カードリーダＩＤ“１００１”が格納される。
【００１６】
カード情報ＤＢ３２は、各ＩＣカードＩＤに係る所有者情報、及び各ＩＣカードＩＤに対応する関連ユーザのＩＣカードＩＤを格納する。所有者情報は、好適にはＩＣカードの所有者を示す情報である。図３は、カード情報ＤＢ３２に格納される情報を示す図である。図３に示すように、カード情報ＤＢ３２には、例えばＩＣカードＩＤ“０００１”、所有者情報“鈴木一郎”、関連ユーザのＩＣカードＩＤ“０００３，０００２”が格納される。
【００１７】
カードリーダ情報ＤＢ３３は、カードリーダＩＤと、設置場所情報とを格納する。設置場所情報とは、カードリーダＩＤに係るカードリーダが設置されている場所に係る情報を示す。図４は、カードリーダ情報ＤＢ３３に格納される情報を示す図である。図４に示すように、カードリーダ情報ＤＢ３３には、例えばカードリーダＩＤ“１００１”、設置場所情報“工学院大学”が格納される。
【００１８】
制御部３４は、システムサーバ３に係る各種制御を行う。制御部３４は、カードリーダ２を介してＩＣカード１に記憶されたＩＣカードＩＤ及びカードリーダＩＤを受信した場合、受信したＩＣカードＩＤ及びカードリーダＩＤに基づき、現在の時刻を登録時刻として、プレゼンスＤＢ３１にＩＣカードＩＤに対応するユーザの安否情報を格納する。なおプレゼンスＤＢ３１に受信したＩＣカードＩＤに対応するユーザの安否情報が既に格納されている場合、制御部３４は、プレゼンスＤＢ３１に格納されている安否情報を更新する。
【００１９】
また制御部３４は、受信したＩＣカードＩＤに対応する関連ユーザのＩＣカードＩＤをカード情報ＤＢ３２から取得する。そして制御部３４は、取得した関連ユーザのＩＣカードＩＤに基づき、プレゼンスＤＢ３１に格納された関連ユーザの安否情報を取得する。さらに制御部３４は、取得した関連ユーザのＩＣカードＩＤに基づき、カード情報ＤＢ３２に格納された所有者情報を取得する。
【００２０】
また制御部３４は、カードリーダ情報ＤＢ３３を参照し、プレゼンスＤＢ３１から取得した安否情報のうち、カードリーダＩＤをカードリーダの設置場所に係る情報、すなわち位置情報に変換する。そして制御部３４は、関連ユーザに係る安否情報をディスプレイ４に送信する。なおディスプレイ４とカードリーダＩＤとは対応付けられており、制御部３４は、カードリーダ２の設置場所に備えられたディスプレイ４に安否情報を送信する。
【００２１】
ディスプレイ４は、カードリーダ２の設置場所に備えられた表示装置であり、システムサーバ３から関連ユーザに係る安否情報を受信する。そしてディスプレイ４は受信した安否情報を表示する。
【００２２】
図５は、ディスプレイ４により表示される情報の例を示す。図５では、ＩＣカードＩＤ“０００１”の所有者“鈴木一郎”がカードリーダ２にＩＣカード１をかざした場合の例を示している。この場合、ディスプレイ４は、ＩＣカードＩＤ“０００１”の関連ユーザのＩＣカードＩＤ“０００２”及び“０００３”に係るユーザの安否情報を表示する。各ユーザの安否情報は、上述の通り、システムサーバ３の制御部３４が、プレゼンスＤＢ３１及びカードリーダ情報ＤＢ３３を参照して取得する。そしてディスプレイ４は、“田中二郎さんは２０１２．５．３０ １８：３３に野比駅にいました。／山田三郎さんは２０１２．５．３０ １８：４２に逓信博物館にいました。”と表示する。
【００２３】
次に、本発明の実施の形態１に係るシステムサーバ３について、図６に示すフローチャートによりその動作を説明する。
【００２４】
はじめにＩＣカード１は、カードリーダ２にユーザにより近接されることにより、カードリーダ２と非接触通信を行い、ＩＣカード１に記憶されたＩＣカードＩＤをカードリーダ２に送信する（ステップＳ１１）。
【００２５】
次にカードリーダ２は、受信したＩＣカードＩＤ及びカードリーダＩＤを、システムサーバ３に送信する（ステップＳ１２）。
【００２６】
続いてシステムサーバ３の制御部３４は、カードリーダ２を介してＩＣカード１に記憶されたＩＣカードＩＤ及びカードリーダＩＤを受信した場合、受信したＩＣカードＩＤ及びカードリーダＩＤに基づき、現在の時刻を登録時刻として、プレゼンスＤＢ３１にＩＣカードＩＤに対応するユーザの安否情報を格納する（ステップＳ１３）。なおプレゼンスＤＢ３１に受信したＩＣカードＩＤに対応するユーザの安否情報が既に格納されている場合、制御部３４は、プレゼンスＤＢ３１に格納されている安否情報を更新する。
【００２７】
続いて制御部３４は、受信したＩＣカードＩＤに対応する関連ユーザのＩＣカードＩＤをカード情報ＤＢ３２から取得する（ステップＳ１４）。そして制御部３４は、取得した関連ユーザのＩＣカードＩＤに基づき、プレゼンスＤＢ３１に格納された関連ユーザの安否情報を取得する（ステップＳ１５）。さらに制御部３４は、取得した関連ユーザのＩＣカードＩＤに基づき、カード情報ＤＢ３２に格納された所有者情報を取得する（ステップＳ１６）。
【００２８】
続いて制御部３４は、プレゼンスＤＢ３１から取得した安否情報のうち、カードリーダＩＤに基づき、カードリーダ情報ＤＢ３３から、カードリーダの設置場所に係る情報を取得する。そして制御部３４は安否情報を、取得した設置場所に係る情報、すなわち位置情報に変換する（ステップＳ１７）。そして制御部３４は、関連ユーザに係る安否情報をディスプレイ４に送信する（ステップＳ１８）。
【００２９】
続いてディスプレイ４は、システムサーバ３から関連ユーザに係る安否情報を受信すると、受信した安否情報を表示する（ステップＳ１９）。そして処理が終了する。
【００３０】
このように本発明の実施の形態１によれば、システムサーバ３が受信したＩＣカードＩＤに基づき、当該ＩＣカードＩＤに対応する関連ユーザの安否情報の照会ができる。さらに、システムサーバ３が受信したＩＣカードＩＤ及びカードリーダＩＤに基づき、当該ＩＣカードＩＤに係るユーザの安否情報を登録する。そのためユーザはＩＣカード１をカードリーダ２にかざすのみで安否情報の登録ができるため、安否情報の登録を簡略化し、登録に要する時間を抑制することができる。
【００３１】
なお、ステップＳ１６の動作は、ステップＳ１４の動作と同時に行ってもよい。すなわち、ステップＳ１４において、システムサーバ３の制御部３４は、受信したＩＣカードＩＤに対応する関連ユーザのＩＣカードＩＤをカード情報ＤＢ３２から取得するとともに、取得した関連ユーザのＩＣカードＩＤに基づき、カード情報ＤＢ３２に格納された所有者情報を取得してもよい。
【００３２】
なお本実施の形態においては、関連ユーザの安否情報をディスプレイ４により表示する例を示したがこれに限られない。例えばディスプレイの替わりにスピーカ等を用い、音声により安否情報を出力するようにしてもよい。
【００３３】
（実施の形態２）
以下に、本発明の実施の形態２について説明をする。図７は本発明の実施の形態２のシステムサーバ３ｂを含むシステムのブロック図である。実施の形態１と同一の構成については同一の符号を付し、説明は省略する。実施の形態２に係るシステムサーバ３ｂは、実施の形態１にかかる構成と比較して、カード情報ＤＢ３２ｂがＩＣカードＩＤに係るユーザの電子メールアドレスを含む点が相違する（図８）。また、システムサーバ３の制御部３４ｂが、カード情報ＤＢ３２ｂから、関連ユーザの電子メールアドレスを取得し、当該電子メールアドレス宛に、ＩＣカード１に記憶されたＩＣカードＩＤに係るユーザの安否情報を送信する点が相違する。
【００３４】
次に、本発明の実施の形態２に係るシステムサーバ３について、図９に示すフローチャートによりその動作を説明する。実施の形態１に係るシステムサーバ３と同一の動作については同一の符号を付し、説明は省略する。
【００３５】
実施の形態２に係るシステムサーバ３の制御部３４ｂは、ステップＳ１１〜Ｓ１３の後、受信したＩＣカードＩＤに対応する関連ユーザのＩＣカードＩＤ及び該関連ユーザのＩＣカードＩＤに係る電子メールアドレスを、カード情報ＤＢ３２から取得する（ステップＳ２４）。
【００３６】
続いて制御部３４ｂは、取得した電子メールアドレス宛に、ＩＣカード１に記憶されたＩＣカードＩＤに係るユーザの安否情報を送信する（ステップＳ２５）。続くステップＳ１５〜Ｓ１９は、実施の形態１と同一であるため、説明は省略する。
【００３７】
このように本発明の実施の形態２によれば、システムサーバ３が、ＩＣカード１をかざしたユーザの安否情報を、当該ユーザの関連ユーザの電子メールアドレス宛てに送信するため、災害時における安否確認を迅速に行うことができる。
【００３８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００３９】
１  非接触型デバイス（ＩＣカード）
２  非接触型デバイス読取装置（カードリーダ）
３、３ｂ  システムサーバ
３１  プレゼンスデータベース（プレセンスＤＢ）
３２、３２ｂ  非接触型デバイス情報データベース（カード情報ＤＢ）
３３  非接触型デバイス読取装置情報データベース（カードリーダ情報ＤＢ）
３４、３４ｂ  制御部
４  ディスプレイ
【図１】
2014044531.tif 000003
【図２】
2014044531.tif 000004
【図３】
2014044531.tif 000005
【図４】
2014044531.tif 000006
【図５】
2014044531.tif 000007
【図６】
2014044531.tif 000008
【図７】
2014044531.tif 000009
【図８】
2014044531.tif 000010
【図９】
2014044531.tif 000011